(57)【要約】【課題】  端末網制御装置と無線親機を接続した状態で設定器から自動電信センターへ発呼動作を行うことができる無線データ収集装置を提供するものである。【解決手段】  回線網制御通信手段４と、特定小電力無線通信手段９と、回線網制御通信手段４の動作条件などを設定する設定器１２を接続するための端末インターフェース手段５と、回線網制御通信手段４と特定小電力無線通信手段９と前記端末インターフェース手段５の制御を行う制御手段１４を備え、前記制御手段１４は設定器１２の起動により端末インターフェース手段５、回線網制御通信手段４を制御し電話回線２へデータ発呼動作を行う。【選択図】  図１
2005086732.tif 000002
【特許請求の範囲】
【請求項１】
無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段、回線網制御通信手段を制御し電話回線へデータ発呼動作を行うようにした無線データ収集装置。
【請求項２】
無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段特定小電力無線通信手段を制御し無線子機に無線によるデータ発呼動作を行うようにした無線データ収集装置。
【請求項３】
端末インターフェース手段は端子台から構成されることを特徴とした請求項１または２記載の無線データ収集装置。
【発明の詳細な説明】
【技術分野】
【０００１】
本発明は無線データ通信機能を備えた端末網制御装置において、設置工事時の電話回線との通信確認を容易する無線データ収集装置に関するものである。
【背景技術】
【０００２】
従来、この種の無線データ収集装置は電話回線を介して検針センターとデータ通信を行う端末網制御装置と、メータに取り付けられた無線子機とデータ通信を行う無線親機を接続して使用している（例えば、特許文献１参照）。
【０００３】
図５は、特許文献１に記載された従来の無線データ収集装置を示すものである。図５に示すように、無線データ収集装置１には、電話回線２との回線インピーダンスの整合や通信データの変調復調を行うモデムを備えた回線網制御通信手段４と無線親機７とのデータ通信を行うためのＮＣＵインターフェース手段５とマイクロコンピュータで構成され前記回線網制御通信手段４とＮＣＵインターフェース手段５の制御を行う回線網制御装置制御手段６を備えた端末網制御装置３と、無線通信データの変調復調などを行う特定小電力無線通信手段９と端末網制御装置３とデータ通信を行うための無線インターフェース手段８と特定小電力無線通信手段９の制御を行うマイクロコンピュータで構成される無線親機制御手段１０を備えた無線親機７と、前記無線インターフェース手段８と同等のインターフェースを備え、ＮＣＵインターフェース手段５と接続して使用可能な設定器１２から構成されている。
【０００４】
なお、設定器１２はＮＣＵインターフェース手段５と１：１でしか使用できないため、ＮＣＵインターフェース手段５と無線インタフェース手段８が接続された状態で、設定器１２をＮＣＵインターフェース手段５に接続することができないように接続切替手段１３で接続を切り替えることが出来るようになっている。
【特許文献１】特開平０９−８９３３号公報
【発明の開示】
【発明が解決しようとする課題】
【０００５】
しかしながら、前記従来の構成では、端末網制御装置３と無線親機７とは独立の回路で構成されており、ガスメータや水道メータに接続された無線子機（図示せず）からの検針データを無線親機７、端末網制御装置３を介して検針センターに送信するためには無線親機７の無線インターフェース手段８と端末網制御装置３のＮＣＵインターフェース手段５とを接続線で接続する必要があった。また、設定器を使用して端末網制御装置から検針センターとの通信を確認する場合には、設定器を端末網制御装置に接続しなければならないが、端末網制御装置と無線親機が接続された状態で設定器を接続するとデータが競合し使用できないため、端末網制御装置３の無線インターフェース手段８と端末網制御装置３のＮＣＵインターフェース手段５の相互の接続切替えを端子台からなる接続切替手段１３を用いて行っていた。
【０００６】
即ち、設置時に、検針センターとの通信状態を確認するためには、接続切替手段である端子台を用いて、一旦端末網制御装置と無線親機の接続を外し、端末網制御装置に設定器を接続するという作業が必要であり、手間が掛かるという課題を有していた。
【０００７】
本発明は、前記従来の課題を解決するもので、端末網制御装置と無線親機の接続を取り外すことなく設定器より端末網制御装置を介して検針センターと通信の確認を可能としたデータ収集装置を提供することを目的とする。
【課題を解決するための手段】
【０００８】
前記従来の課題を解決するために、本発明の無線データ収集システムは無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段、回線網制御通信手段を制御し電話回線へデータ発呼動作を行うようにしたものである。
【０００９】
これによって、設定器接続用のインターフェースに設定器を接続することができるため、端末網制御装置と無線親機の通信ラインを切離すことなく設定器と検針センター間でデータ通信を行うことが可能となる。
【００１０】
また、本発明の無線データ通信装置は、無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段特定小電力無線通信手段を制御し無線子機に無線によるデータ発呼動作を行うようにしたものである。
【００１１】
これによって、設定器接続用のインターフェースに設定器を接続することができるため、端末網制御装置と無線親機の通信ラインを切離すことなく設定器と無線子機間でデータ通信を行うことが可能となる。
【発明の効果】
【００１２】
本発明の無線データ収集システムは、設定器接続用のインターフェースに設定器を接続することができるため、端末網制御装置と無線親機の通信ラインを切離すことなく設定器と検針センター間でデータ通信を行うことができる。
【発明を実施するための最良の形態】
【００１３】
第１の発明は無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段、回線網制御通信手段を制御し電話回線へデータ発呼動作を行うようすることにより、設定器接続用のインターフェースに設定器を接続することができるため、端末網制御装置と無線親機の通信ラインを切離すことなく設定器と検針センター間でデータ通信を行うことができる。
【００１４】
第２の発明は、無線子機と無線データ通信を行う特定小電力無線通信手段と、前記無線データ通信で得られたデータを電話回線を用いて外部へ通信するための回線網制御通信手段と、前記回線網制御通信手段の動作条件などを設定する設定器を接続するための端末インターフェース手段と、前記回線網制御通信手段と前記特定小電力無線通信手段と前記端末インターフェース手段の制御を行う制御手段を備え、前記制御手段は前記設定器からの電文に基づき前記端末インターフェース手段特定小電力無線通信手段を制御し無線子機に無線によるデータ発呼動作を行うようにすることにより、設定器接続用のインターフェースに設定器を接続することができるため、端末網制御装置と無線親機の通信ラインを切離すことなく設定器と無線子機間でデータ通信を行うことが可能となる。
【００１５】
第３の発明は、特に、第１または第２の発明の無線データ収集システムの端末インターフェース手段を端子台から構成することにより、常時端末機器を接続することが可能となり、端末網制御装置と無線親機の通信ラインを切離すことなく端末機器から検針センターや無線子機と通信を行うことが可能となる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における無線データ収集システムの要部ブロック図を示すものである。
【００１８】
図１において、１は無線データ収集装置であり、電話回線２と、送信信号の変調と受信信号の復調を行うモデム手段と前記電話回線の直流インピーダンスを制御する網制御手段と、外部に接続された電話機１１の接続制御を行う開閉手段を備えた回線網制御通信手段４と、図示はしないが１台又は複数台の無線子機と無線データ通信を行う特定小電力無線通信手段９と、回線網制御通信手段４の動作条件などを設定する設定器１２を接続するための端末インターフェース手段５と、回線網制御通信手段４の動作制御やデータ送受信制御と特定小電力無線通信手段９の動作制御やデータ送受信制御と端末インターフェース手段５とのデータ送受信制御を行う１個のマイクロコンピュータから構成される制御手段１４から構成されている。
【００１９】
以上のように構成された無線データ収集装置について、図２の制御手段１４の要部フローチャートを用い、以下その動作、作用を説明する。
【００２０】
まず、設定器１２を端末インターフェース手段５に接続し、自動検針センターにデータを送付する電文をマイクロコンピュータ制御手段１４に送信すると、マイクロコンピュータ制御手段１４はＳ２２でその電文を解析し、Ｓ２３で発呼要求を確認する。発呼要求が確認されると、Ｓ２４で無線データ収集装置１に接続してある電話機１１を切離し、Ｓ２５において回線網制御通信手段４に対して電話回線２の閉結動作やダイヤリングなどの指示を行い電話回線２を介して自動検針センターと接続し、Ｓ２６でその後必要なデータ通信を行う。なお、Ｓ２３で発呼要求を検出しなかった場合にはＳ２７の処理に進み、無線データ収集装置１のその他の処理を実行するよう構成されている。
【００２１】
従って、従来のように、回線網制御通信手段と特定省電力通信手段と設定器間の接続を端子台を用いて切り替える作業を行うこと無しに、設定器を用いて検針センターとの通信状態を確認することができる。
【００２２】
（実施の形態２）
図３は、本発明の第２の実施の形態における無線データ収集システムのマイクロコンピュータ制御手段１４の要部フローチャートを示すものである。
【００２３】
図３において、まず、設定器１２を端末インターフェース手段５に接続し、電文をマイクロコンピュータ制御手段１４に送信すると、マイクロコンピュータ制御手段１４はＳ３２でその電文を解析し、Ｓ３３で発呼要求を確認する。Ｓ３４で発呼要求が自動検針センター宛てか、無線子機宛かを判断し、自動検針センター宛であれば処理はＳ３５に進み、Ｓ３５で無線データ収集装置１に接続してある電話機１１を切離し、Ｓ３６において回線網制御通信手段４に対して電話回線２の閉結動作やダイヤリングなどの指示を行い電話回線２を介して自動検針センターと接続し、Ｓ３７でその後必要なデータ通信を行う。一方、Ｓ３４で発呼要求が無線子機宛であった場合は、Ｓ３８で無線子機との無線接続処理を行いＳ３９で無線子機と無線データ通信を行う。なお、Ｓ３３で発呼要求を検出しなかった場合には処理はＳ４０に進み、無線データ収集装置１のその他の処理を実行するよう構成されている。
【００２４】
従って、回線網制御通信手段と特定省電力通信手段と設定器間の接続を端子台を用いて切り替える作業を行うこと無しに、設定器を用いて子機との通信状態を確認することができる。
【００２５】
（実施の形態３）
図４は、本発明の第３の実施の形態における無線データ収集システムの要部ブロック図を示すものである。
【００２６】
図４において、１は無線データ収集装置であり、端末インターフェース手段の接続端子Ａ１，Ａ２が端子台１６として構成され、設定器１２と常時接続されるように構成されている。
【００２７】
従って、設定器の取り外しを容易に行うことができる。また、本実施例では、端末インターフェースに接続する機器として、回線網制御通信手段や特定省電力通信手段の各種設定を行う設定器で説明を行ったが、この設定器の代わりに定期的に自動検針センターや無線子機にデータ収集のために発呼する装置を常時接続して運用することも可能となる。
【産業上の利用可能性】
【００２８】
以上のように、本発明にかかる無線データ収集装置は、設定器により無線親機の切離しを行わずに自動検針センターとの通信確認が可能となるので、アナログ電話回線、ＰＨＳやインターネットなどに接続する自動検針装置等の用途にも適用できる。
【図面の簡単な説明】
【００２９】
【図１】本発明の実施の形態１における無線データ収集装置の要部ブロック図
【図２】本発明の実施の形態１におけるマイクロコンピュータ制御手段の要部フローチャート
【図３】本発明の実施の形態２におけるマイクロコンピュータ制御手段の要部フローチャート
【図４】本発明の実施の形態３における無線データ収集装置の要部ブロック図
【図５】従来の無線データ収集装置のブロック図
【符号の説明】
【００３０】
１  無線データ収集装置
２  電話回線
３  回線網制御装置
４  回線網制御通信手段
５  ＮＣＵインターフェース手段
６  回線網制御装置制御手段
７  無線親機
８  無線インターフェース手段
９  特定小電力無線通信手段
１１  電話機
１２  設定器
１４  制御手段
１５  端末インターフェース手段
１６  端子台
【図１】
2005086732.tif 000003
【図２】
2005086732.tif 000004
【図３】
2005086732.tif 000005
【図４】
2005086732.tif 000006
【図５】
2005086732.tif 000007